(57)【特許請求の範囲】
【請求項１】
表示手段と、
地図データが格納された記憶手段と、
自車両の現在位置を検出する自車位置検出手段と、
ユーザが指示する情報を入力する情報入力手段と、
前記自車両周辺の地図を表示する地図画面と誘導経路上の地点が前記自車両の現在位置から近い順に複数個配置されたガイド画面との２画面を並べて前記表示手段の画面に表示させるとき、前記ガイド画面及び前記地図画面に表示される同一の地点間を接続する連結線を表示させる制御手段と、を有し、
前記制御手段は、前記情報入力手段を介して前記自車両及び前記ガイド画面に表示される各地点を前記地図画面に表示する旨の指示があり、前記ガイド画面がスクロールされたとき、前記自車両の位置及び当該ガイド画面に表示される各地点が含まれる地図データを抽出し、前記自車両の位置が前記地図画面の下辺近傍に表示され、前記各地点のうち前記自車両から最も遠い地点が前記地図画面の上辺近傍に表示されるように前記抽出した地図データの縮尺を調整することを特徴とする車載用ナビゲーション装置。
【請求項２】
表示手段と、
地図データが格納された記憶手段と、
自車両の現在位置を検出する自車位置検出手段と、
前記自車両周辺の地図を表示する地図画面と誘導経路上の地点が前記自車両の現在位置から近い順に複数個配置されたガイド画面との２画面を並べて前記表示手段の画面に表示させるとき、前記ガイド画面及び前記地図画面に表示される同一の地点間を接続する連結線を表示させる制御手段と、を有し、
前記制御手段は、前記自車両及び前記ガイド画面に表示される各地点を前記地図画面に表示する旨の指示がなく、前記ガイド画面がスクロールされたとき、当該ガイド画面に表示される各地点が含まれる地図データを抽出し、前記各地点のうち前記自車両から最も近い地点が前記地図画面の下辺近傍に表示され、前記各地点のうち前記自車両から最も遠い地点が前記地図画面の上辺近傍に表示されるように前記抽出した地図データの縮尺を調整することを特徴とする車載用ナビゲーション装置。
【請求項３】
前記制御手段は、前記地点が前記自車両から遠くなるほど、前記連結線を目立たない表示態様で表示させることを特徴とする請求項１又は２に記載の車載用ナビゲーション装置。
【請求項４】
前記制御手段は、前記スクロールによって前記ガイド画面に表示されなくなった前記連結線を、前記ガイド画面及び地図画面に表示されている同一の各地点間の連結線より目立たない態様で表示させることを特徴とする請求項３に記載の車載用ナビゲーション装置。
【発明の詳細な説明】
【技術分野】
【０００１】
本発明は、誘導経路に従って車両を目的地まで案内する車載用ナビゲーション装置に関し、特に、地図画面と簡略ガイド画面の２画面表示をする表示手段を備えた車載用ナビゲーション装置に関する。
【背景技術】
【０００２】
従来の典型的な車載用ナビゲーション装置は、ナビゲーションに係る一切の処理を制御するＣＰＵ等の制御装置、地図データを予め記憶させたＤＶＤ(Digital Versatile Disk)−ＲＯＭやＩＣメモリカード等の記憶装置、表示装置、ＧＰＳ(Global Positioning System)受信機、ジャイロや車速センサ等の車両の現在位置及び現在方位を検出する検出装置等を有している。そして、制御装置により、車両の現在位置を含む地図データを記憶装置から読み出し、該地図データに基づいて車両位置の周囲の地図画像を表示装置の画面に表示すると共に、自車の現在位置を指示する車両位置マークを地図画像に重ね合わせて表示し、車両の移動に応じて地図画像をスクロール表示したり、地図画像を画面に固定し車両位置マークを移動させたりして、車両が現在どこを走行しているのかを一目で判るようにしている。
【０００３】
また、車載用ナビゲーション装置には、通常、ユーザが目的地に向けて道路を間違うことなく容易に走行できるように案内する機能（経路案内機能）が搭載されている。この経路案内機能によれば、ＣＰＵにより、地図データを用いて出発地（典型的には自車の現在位置）から目的地までを結ぶ最適な経路を、横型探索法やダイクストラ法等のシミュレーション計算を行って探索し、その探索した経路を誘導経路として記憶しておき、走行中、地図画像上にその誘導経路を他の道路とは識別可能に（例えば、色を変えたり、線幅を太くして）表示したり、また、自車が案内経路上で進路を変更すべき交差点まで所定距離に近づいたときに地図画像上にその交差点の案内図（交差点拡大図、該交差点での進行方向を示す矢印、該交差点までの距離、交差点名など）を表示したりすることで、いずれの道路を走行すればよいか、また、交差点でどの方向に進んだらよいかをユーザが把握できるようになっている。
【０００４】
経路探索時には、予めユーザが目的地を設定し、必要に応じて目的地に至る途中の経由地を設定する。また、必要であれば、各種の条件（有料道路優先で行くのか又は一般道路優先で行くのか等）も併せて設定する。ナビゲーション装置では、これらの設定されたデータに基づいて、目的地までの複数の経路の探索を行い、探索された経路を例えば色分けして表示し、その中からユーザが選択した１つの経路に従って経路案内を行う。
【０００５】
このようなナビゲーション装置において、高速道路を利用する場合に高速道路の施設（サービスエリア、パーキングエリアなど）の位置や施設の詳細情報を表示する技術が実用化されている。これらの高速道路の施設の詳細情報を表示する際に、自車位置周辺の地図を共に表示する２画面表示がある。これに関連する技術として、特許文献１には、地図画像と高速道路案内画像を表示する２画面表示において、自車位置に最も近い施設を通過すると、高速道路案内画像の施設の情報を示す表示内容が更新され、特にサービスエリアやパーキングエリアの場合は本線に合流する合流地点を過ぎたときに表示内容が更新される装置が記載されている。また、特許文献２には、高速道路のインターチェンジやサービスエリアを表示した高速デフォルメ図（高速道路案内図）において、自車の現在位置を表示する装置が記載されている。
【特許文献１】特開２００４−１３２７４９号公報
【特許文献２】特開平７−１６８９９６号公報
【発明の開示】
【発明が解決しようとする課題】
【０００６】
上述したように、サービスエリアやパーキングエリアなどの詳細情報を地図画像とは別の画像に表示することにより、それらの情報を容易に取得することが可能となり、施設の詳細情報を参考にして、どのサービスエリアを利用するかを判断することが可能になる。また、高速道路案内図に表示されるようにサービスエリアやパーキングエリアの位置関係を容易に把握することが可能になる。
【０００７】
このような高速道路案内図では表示される施設の数が限られており、自車両の現在位置から離れたサービスエリアの詳細情報は高速道路案内図の画面をスクロールさせることによって調べることができる。
【０００８】
しかし、高速道路案内図が表示されている画面がスクロールされて自車位置から離れた位置の施設が表示されても、地図画面は高速道路案内画面がスクロールされる前の地図が表示されたままである。よって、この場合、施設の詳細情報は把握できても、自車位置と施設との位置関係や、自車位置からいくつ目のサービスエリアであるか等の把握が困難となる。そのため、自車両から遠いサービスエリアを選択した後、地図画面で自車との位置関係を確認し、より近いサービスエリアの方がよいと判断すると、再度、高速道路案内画面でサービスエリアを選択しなおす場合も起こり得る。このような操作の繰り返しによって運転に集中できず、安全走行に支障をきたすおそれがある。
【０００９】
本発明は、かかる従来技術の課題に鑑みなされたものであり、地図画面と高速道路案内図のようなガイド画面の２画面表示の両画面に表示される同一の地点をユーザに分かりやすく表示することが可能な車載用ナビゲーション装置を提供することを目的とする。
【課題を解決するための手段】
【００１０】
上述した従来技術の課題を解決するため、本発明の基本形態によれば、表示手段と、地図データが格納された記憶手段と、自車両の現在位置を検出する自車位置検出手段と、ユーザが指示する情報を入力する情報入力手段と、前記自車両周辺の地図を表示する地図画面と誘導経路上の地点が前記自車両の現在位置から近い順に複数個配置されたガイド画面の２画面とを並べて前記表示手段の画面に表示させるとき、前記ガイド画面及び前記地図画面に表示される同一の地点間を接続する連結線を表示させる制御手段と、を有し、前記制御手段は、前記情報入力手段を介して前記自車両及び前記ガイド画面に表示される各地点を前記地図画面に表示する旨の指示があり、前記ガイド画面がスクロールされたとき、前記自車両の位置及び当該ガイド画面に表示される各地点が含まれる地図データを抽出し、前記自車両の位置が前記地図画面の下辺近傍に表示され、前記各地点のうち前記自車両から最も遠い地点が前記地図画面の上辺近傍に表示されるように前記抽出した地図データの縮尺を調整することを特徴とする車載用ナビゲーション装置が提供される。
【００１１】
この形態に係る車載用ナビゲーション装置において、前記制御手段は、前記自車両の位置及び前記ガイド画面に表示される各地点が含まれる地図データを抽出し、前記自車両の位置が前記地図画面の下辺近傍に表示され、前記各地点のうち前記自車両から最も遠い地点が前記地図画面の上辺近傍に表示されるように前記抽出した地図データの縮尺を調整するようにしてもよく、更に、ユーザが指示する情報を入力する情報入力手段を有し、前記制御手段は、前記情報入力手段を介して前記自車両及び前記ガイド画面に表示される各地点を前記地図画面に表示する旨の指示があり、前記ガイド画面がスクロールされたとき、前記自車両の位置及び当該ガイド画面に表示される各地点が含まれる地図データを抽出し、前記自車両の位置が前記地図画面の下辺近傍に表示され、前記各地点のうち前記自車両から最も遠い地点が前記地図画面の上辺近傍に表示されるように前記抽出した地図データの縮尺を調整するようにしてもよい。
【００１２】
また、この形態に係る車載用ナビゲーション装置において、前記制御手段は、前記地点が前記自車両から遠くなるほど、前記連結線を目立たない表示態様で表示させるようにしてもよく、前記制御手段は、前記スクロールによって前記ガイド画面に表示されなくなった前記連結線を、前記ガイド画面及び地図画面に表示されている同一の各地点間の連結線より目立たない態様で表示させるようにしてもよい。
【００１３】
本発明の車載用ナビゲーション装置によれば、地図画面とガイド画面の２画面表示において、両画面に表示される同一の地点間を線（連結線）で結んでいる。この連結線は、自車両から遠くなるほど、前記連結線を目立たない表示態様で表示させるように、例えば、自車両の位置に近い連結線ほど太く、自車両の位置から離れた連結線ほど細くなるようにしている。また、自車位置からガイド画面に表示される地点までが地図画面に含まれるように地図画面の縮尺を調整している。さらに、ガイド画面をスクロールして自車位置から離れた地点の情報を表示する場合であっても、自車位置及びその地点が地図画面に含まれるように縮尺を調整している。これにより、自車位置から離れた地点の情報を把握するとともに、自車両からその地点までの位置関係を地図画面によって容易に把握することが可能になる。
【発明を実施するための最良の形態】
【００１４】
以下、本発明の実施形態について、添付の図面を参照して説明する。
【００１５】
（車載用ナビゲーション装置の構成）
図１は本発明の実施形態に係る車載用ナビゲーション装置の構成を示すブロック図である。
【００１６】
図中、１はＤＶＤ−ＲＯＭドライブであり、１ａは地図データその他の案内データが記憶されている記憶媒体である。本実施形態では、このようなデータを記憶する記憶媒体としてＤＶＤ−ＲＯＭ１ａを使用しているが、ハードディスク又はその他の記憶媒体を使用してもよい。ここに格納されている地図は、１／１２５００、１／２５０００、１／５００００、１／１０００００等の各縮尺レベルに応じて適当な大きさの経度幅及び緯度幅に区切られており、この地図に含まれる道路、建築物、施設その他の各種物件は、経度及び緯度で表現された点（ノード）の座標集合として記憶されている。地図データは、（１）道路リスト、ノードテーブル、交差点構成ノードリスト等からなる道路レイヤ、（２）地図画像上に道路、建築物、公園、河川等を表示するための背景レイヤ、（３）市町村名などの行政区画名、道路名、交差点名などを指示する文字や地図記号等を表示するための文字・記号レイヤなどから構成されている。
【００１７】
また、ＤＶＤ‐ＲＯＭ１ａには、マップマッチングで使用される道路の形状を表現した道路データが記憶されている。この道路データは道路の形状に応じてノード間の距離が異なるシェープノードとシェープノード間のリンクで構成されている。
【００１８】
また、２はナビゲーション装置本体１０を操作するための操作ボタン等が設けられた操作部である。本実施形態では、操作部２にリモコン送信機が含まれており、ユーザは手元のリモコン送信機でナビゲーション装置本体１０を操作することもできる。
【００１９】
また、３は複数のＧＰＳ衛星から送られてくるＧＰＳ信号を受信して車両の現在位置の経度、緯度、ＰＤＯＰ(Position DOP)値及びＨＤＯＰ(Horizontal DOP)値等のＧＰＳデータを生成して出力するＧＰＳ受信機を示す。４は自立航法センサを示す。この自立航法センサ４は、車両回転角度を検出するジャイロ等の角度センサと、一定の走行距離毎にパルスを発生する走行距離センサとにより構成されている。
【００２０】
また、５は各種のサービスセンタと通信するための車載電話機等の通信機、６は電波ビーコン又は光ビーコンから送られてくるＶＩＣＳ（道路交通情報通信システム）情報を受信するＶＩＣＳ受信機を示す。これらのビーコンは路側に設置され、警察署、道路管理者及び統合センターに接続され、周辺の渋滞情報等を提供する。
【００２１】
また、７は液晶パネル等の表示装置であり、ナビゲーション装置本体１０は、この表示装置７に車両の現在位置の周囲の地図を表示したり、出発地から目的地までの誘導経路や車両マーク及びその他の案内情報を表示する。表示装置７はその画面上にタッチパネルが設けられ、表示画面の表示内容と対になった各種のボタンが構成される。また、タッチパネルは後述する簡略ガイド画面をスクロールするときの入力装置となる。８は音声によりユーザに案内情報を提供するためのスピーカーである。
【００２２】
ナビゲーション装置本体１０は以下のものから構成されている。１１はＤＶＤ−ＲＯＭドライブ１を介してＤＶＤ−ＲＯＭ１ａから読み出された地図データを一時的に格納するバッファメモリを示す。
【００２３】
１２はマイクロコンピュータにより構成される制御部を示す。制御部１２は、ナビゲーション用のプログラムを内蔵しており、このプログラムに従い、ＧＰＳ受信機３から出力される信号や、自立航法センサ４から出力される信号に基づいて自車の現在位置を算出したり、表示させたい地図のデータをＤＶＤ−ＲＯＭドライブ１を介してＤＶＤ−ＲＯＭ１ａからバッファメモリ１１に読み出したり、バッファメモリ１１に読み出された地図データを用いて設定された探索条件で出発地から目的地までの誘導径路を探索するなど、種々の処理を実行する。また、後述するように、表示装置７に地図画面とガイド画面からなる２画面構成の画像を表示させる際に、両画面に表示される同一の地点間を線で結んで表示させる処理を行う。
【００２４】
１３はバッファメモリ１１に読み出された地図データを用いて地図画像を生成する地図描画部、１４は動作状況に応じた各種メニュー画面（操作画面）や車両位置マーク及びカーソル等の各種マークを生成する操作画面・マーク発生部である。
【００２５】
１５は制御部１２で探索した誘導経路を記憶する誘導経路記憶部、１６は誘導経路を描画する誘導経路描画部を示す。誘導経路記憶部１５には、制御部１２によって探索された誘導経路の全ノードが出発地から目的地まで記憶される。誘導経路描画部１６は、地図を表示する際に、誘導経路記憶部１５から誘導経路情報を読み出して、誘導経路を他の道路とは異なる色及び線幅で描画する。
【００２６】
１８は音声出力部を示し、制御部１２からの信号に基づいて音声信号をスピーカー８に供給する。１９は画像合成部を示し、地図描画部１３で描画された地図画像に、操作画面・マーク発生部１４で生成した各種マークや操作画面、誘導経路描画部２２で描画した誘導経路などを重ね合わせて表示装置７に表示させる。
【００２７】
このように構成された車載用ナビゲーション装置１００において、高速道路を走行中に表示される地図表示と行程ガイド図表示の２画面表示について図２及び図３を参照して説明する。図２及び図３は表示装置７の画面２０を示し、地図画面２１と行程ガイド画面２２の２画面表示されている状態を示している。
【００２８】
車載用ナビゲーション装置１００の制御部１２は、自車両が高速道路を走行中に操作部２を介して２画面表示が指定されると、地図画面２１と行程ガイド画面２２の２画面に表示するデータを生成して表示装置７に表示する。地図画面２１では、誘導経路２３上に自車両の現在位置が自車位置マークＣＭで表示され、その周辺の地図が表示される（図２では簡略化のために地図は省略している）。行程ガイド画面２２は、高速道路のサービスエリア（ＳＡ）、パーキングエリア（ＰＡ）、インターチェンジ（ＩＣ）などの施設を自車位置に近い方から順に地点名称表示枠２４ａ〜２４ｄに表示している。この地点名称表示枠内には、図示はしないが、それぞれの施設の詳細情報（レストランやガソリンスタンドの有無、ガソリンスタンドの社名、到達予想時刻等）が表示される。
【００２９】
行程ガイド画面２２に表示される地点（ＰＡ１，ＳＡ１，ＰＡ２，ＰＡ３）と、地図画面２１に表示される地点（２８ａ、２８ｂ、２８ｃ、２８ｄ）は同一の地点を示しており、それらの地点間を線２５ａ〜２５ｄで接続して表示している。この線は地図画面２１上の接続点２７ａ〜２７ｄと行程ガイド画面２２上の接続点２６ａ〜２６ｄの間に表示されている。本実施形態では、この線を連結線と呼び、地図画面２１上の接続点を地図画面接続点、行程ガイド画面２２上の接続点をガイド画面接続点と呼ぶ。
【００３０】
行程ガイド画面２２は、自車位置の進行方向前方で自車位置に最も近い施設を表示するだけでなく、行程ガイド画面２２に表示される画像をスクロールさせて自車両から距離的に離れた位置の施設を表示させることも可能である。
【００３１】
図３は、図２の状態から行程ガイド画面２２の表示画像をスクロールさせて、自車位置から離れた施設（ＰＡ５、ＰＡ６、ＳＡ２、ＰＡ７）を表示させた状態を示している。図３（ａ）は、縮尺連動ボタン３２をタッチしてスクロールした場合であり、図３（ｂ）は縮尺連動ボタン３２をタッチせずにスクロールした場合を示している。
【００３２】
図３（ａ）に示すように、縮尺連動ボタン３２をタッチした場合は、地図画面２１の縮尺を、自車位置ＣＭから行程ガイド画面２２に表示される施設ＰＡ８まで表示されるように調整される。すなわち、自車位置及び行程ガイド画面２２に表示されている施設が含まれる地図データを抽出し、自車位置マークＣＭが地図画面２１の下辺近傍に位置し、行程ガイド画面２２に表示されている施設であって自車位置から最も遠い施設（３３ｄに表示される地点ＰＡ７）が地図画面２１の上辺近傍に表示されるように地図の縮尺を調整して表示される。
【００３３】
一方、図３（ｂ）に示すように、縮尺連動ボタンをタッチしない場合は、地図画面２１の縮尺を、行程ガイド画面２２に表示される施設の周辺が表示されるように調整される。
すなわち、行程ガイド画面２２に表示される施設のうち、自車位置ＣＭに最も近い施設ＰＡ５が地図画面２１の下辺近傍に表示され、自車位置ＣＭから最も遠い施設ＰＡ７が地図画面２１の上辺近傍に表示されるように地図データの縮尺が調整される。
【００３４】
行程ガイド画面２２に表示される施設が自車両から遠い場合であっても、行程ガイド画面２２に表示される施設（ＰＡ５、ＰＡ６、ＳＡ２、ＰＡ７）と地図画面２１に表示される同一の施設の地点（３８ａ、３８ｂ、３８ｃ、３８ｄ）とを結ぶ連結線３５ａ〜３５ｄがガイド画面接続点３６ａ〜３６ｄと地図画面接続点３７ａ〜３７ｄの間に表示される。
【００３５】
また、行程ガイド画面２２をスクロールすることにより表示されなくなった施設（ＰＡ１，ＳＡ１、ＰＡ２，ＰＡ３）は、自車両よりも前方に位置していれば、連結線は表示される２５ａ〜２５ｄが、両画面に表示されている施設を結ぶ連結線３５ａ〜３５ｄよりも目立たない態様で表示される。図３では破線で表示しているが、両画面に表示されている施設を結ぶ連結線よりも薄く表示するようにしてもよい。
【００３６】
なお、図３（ａ）及び（ｂ）の画面において、「現在地」ボタン３１をタッチすることにより、自車両の現在位置から最も近い位置の施設を表示する画面に戻すことが可能である。
【００３７】
このように、行程ガイド画面２２と地図画面２１に表示される同一の施設が連結線で接続されることにより、ＳＡ等の施設の詳細情報を行程ガイド画面２２で把握するとともに、その特定の施設が自車位置から離れていても、自車両との位置関係を地図画面２１で容易に把握することができる。
【００３８】
上記説明した２画面表示の機能は一般道路を走行中の場合にも有効である。図４及び図５を用いて一般道路を走行中の２画面表示について説明する。
【００３９】
図４は、一般道路を走行中に２画面表示を選択したときに表示される例を示している。２画面表示のうち左側には地図画面２１が表示され、右側には簡略ガイド画面２２が表示される。地図画面２１では、誘導経路上に自車両の現在位置が自車位置マークＣＭで表示され、その周辺の地図が表示される。簡略ガイド画面２２には、誘導経路上の案内ポイント（交差点）Ｃ１〜Ｃ４が自車両から近い順に下から上に地点名称表示枠４２ａ〜４２ｄに表示される。図４では、４つの案内ポイントが表示されている。また、図示はしないが、各案内ポイントの地点名称表示枠内には、左折や右折の指示、目的地までの距離数や混雑状況などが表示される。
【００４０】
図４に示すように、簡略ガイド画面２２に表示されている各案内ポイントＣ１〜Ｃ４に対応する地図画面２１の各案内ポイント４６ａ〜４６ｄとは連結線４３ａ〜４３ｄで接続されている。また、図２と同様に、連結線４３ａ〜４３ｄの太さは自車位置ＣＭから離れるに従って細くして、目立たない態様で表示している。
【００４１】
図５は図４の状態から簡略ガイド画面２２をスクロールして、自車位置ＣＭから離れた地点Ｃ５〜Ｃ８を表示させた状態を示している。図５（ａ）は、縮尺連動ボタン３２をタッチしてスクロールした場合であり、図５（ｂ）は、縮尺連動ボタン３２をタッチせずにスクロールした場合を示している。
【００４２】
縮尺連動ボタン３２をタッチしてスクロールしたときは、地図画面２１に自車位置ＣＭ及び簡略ガイド画面２２に表示されている各案内ポイントＣ５〜Ｃ８が含まれ、かつ誘導経路４１が含まれるように地図画面２１に表示される地図データの縮尺が調整される。また、簡略ガイド画面２２に表示されている各案内ポイントＣ５〜Ｃ８と同じ地図画面２１上の各案内ポイント５５ａ〜５５ｄとが連結線５２ａ〜５２ｄで接続されている。この連結線５２ａ〜５２ｄは、ガイド画面接続点５３ａ〜５３ｄと地図画面接続点５４ａ〜５４ｄの間に表示され、その太さも図４と同様に、自車位置ＣＭから離れるに従って細くなっている。
【００４３】
また、スクロール操作によって簡略ガイド画面２２に表示されなくなった案内ポイントＣ１〜Ｃ４に対して接続されていた連結線４３ａ〜４３ｄは、簡略ガイド画面２２に表示されている案内ポイントＣ５〜Ｃ８に対して接続されている連結線５３ａ〜５３ｄよりも目立たない態様（図５の例では破線）で表示されている。
【００４４】
一方、縮尺連動ボタン３２がタッチされないときは、地図画面２１に簡略ガイド画面２２に表示されている各案内ポイントＣ５〜Ｃ８及び誘導経路４１が入る縮尺に調整される。すなわち、簡略ガイド画面２２に表示される案内ポイントＣ５〜Ｃ８のうち、自車位置ＣＭに最も近い案内ポイントＣ５が地図画面２１の下辺近傍に表示され、自車位置ＣＭから最も遠い案内ポイントＣ８が地図画面２１の上辺近傍に表示されるように縮尺が調整される。
【００４５】
なお、図５（ａ）及び（ｂ）の画面において、「現在地」ボタン３１にタッチすることにより、自車両の現在位置から最も近い位置の案内ポイントを表示する画面に戻すことが可能である。
【００４６】
このように、一般道路の場合であっても、自車位置ＣＭから離れた地点の案内ポイント（交差点）の状況を簡略ガイド画面２２によって知ることができると同時に、自車位置ＣＭからどの程度離れているかを容易に知ることが可能になる。また、縮尺連動を選択しないときは、所望の地点の案内ポイント周辺の地図が詳細に表示され、その地点の周辺状況を確認することが可能になる。
【００４７】
次に、本実施形態に係る車載用ナビゲーション装置１００において行う２画面表示処理について、図６〜図９を参照しながら詳細に説明する。図６は、２画面表示処理の一例を示すフローチャートである。
【００４８】
まず、最初のステップＳ１１において、誘導経路のルート探索を行う。ルート探索では、自車の現在位置からルート探索条件の設定でユーザによって指示された「目的地」までのルート探索を行う。制御部１２は、従来と同様に地図データをＤＶＤ−ＲＯＭドライブ１を介してＤＶＤ-ＲＯＭ１ａからバッファメモリ１１に読み出し、バッファメモリ１１に読み出された地図データを用いて設定された探索条件で自車の現在位置から目的地までの誘導経路を探索する。探索された経路は経路記憶部１５に格納される。なお、「目的地」の入力は、住所、電話番号、施設名等により入力される。また、表示画面に表示された地図上で目的地をタッチすることによって入力するようにしてもよい。
【００４９】
次のステップＳ１２において、２画面表示が選択されたか否かを判定する。２画面表示が選択されたときはステップＳ１３に移行し、選択されていないときは待機する。
【００５０】
次のステップＳ１３において、自車位置が高速道路上であるか否かを判定する。自車位置はＧＰＳ受信機からの信号を基に自車の位置する緯度及び経度を取得し、地図データと比較して高速道路を走行しているか否かを判定する。自車位置が高速道路を走行している場合はステップＳ１４に移行し、一般道路を走行している場合はステップＳ１５に移行する。
【００５１】
次のステップＳ１４において、自車両の位置やその周辺及び誘導経路を表示する地図画面と高速道路の施設の情報を示す行程ガイド画面で構成される２画面の表示画面を生成する。
【００５２】
ここで、２画面表示の作成処理について図７を用いて詳細に説明する。
【００５３】
図７のステップＳ２１では、自車位置ＣＭより前方に存在する高速道路上の地点（サービスエリア、パーキングエリア、インターチェンジ、ジャンクション等）を誘導経路記憶部１５及びＤＶＤ−ＲＯＭ１ａの地図データから抽出する。
【００５４】
次のステップＳ２２において、抽出した地点を特定する地点名称表示枠を車両位置から近い順に複数個（例えば４個）配置して行程ガイド画面２２に表示する画像データを生成する。
【００５５】
次のステップＳ２３において、自車位置ＣＭ及び行程ガイド画面２２に表示されている地点が含まれる地図画像データをＤＶＤ−ＲＯＭ１ａから抽出する。行程ガイド画面２２に表示されている各地点名称表示枠２４ａ〜２４ｄからその枠内に表示されている各地点（ＰＡ１，ＳＡ１、ＰＡ２、ＰＡ３）を検出し、自車位置ＣＭから各地点のうち自車位置と最も離れた地点ＰＡ３までの範囲の地図データをＤＶＤ−ＲＯＭ１ａから抽出する。
【００５６】
次のステップＳ２４において、地図画面２１を生成する。自車位置マークＣＭを地図画面２１の下辺近傍に固定し、地図画面２１の上辺に向って経路２３を表示するとしたとき、自車位置ＣＭから施設ＰＡ３までの直線距離を地図から検出し（ｎとする）、地図画面の下辺から上辺までのサイズをｍとすると、ｍ／ｎの縮尺率になるようにして地図画面２１に表示するデータを生成する。
【００５７】
次のステップＳ２５において、２画面のうち行程ガイド画面２２を右側、地図画面２１を左側として２画面表示画像データを生成する。この左右の画面において、同一の施設を連結線で結ぶ。行程ガイド画面２２の地点名称表示枠２４に隣接してガイド画面接続点２６を設け、地図画面２１の各施設の位置に地図画面接続点２７を設ける。連結線２５は、自車位置に近いものほど太くして目立つようにし、自車位置から離れるに従って細くして目立たなくなるように表示する。また、これに合わせて各接続点２６，２７も自車位置に近いものほど大きくし、自車位置から離れるに従って小さくするように表示する。なお、自車位置に近い連結線ほど濃く表示し、自車位置から離れるに従って薄くなるように表示してもよい。
【００５８】
連結線２５は、ガイド画面接続点２６と地図画面接続点２７の座標位置（地図画面とガイド画面を合わせた全体の画面における座標位置）を検出して、その間を所定の表示態様の線で結んで表示される。連結線２５の表示態様は、地点名称表示枠２４が表示される位置で決定される。例えば、地点名称表示枠が４つの場合、ガイド画面を上下方向に４分割した表示エリアを規定し、地点名称表示枠２４が一番下の表示エリアに表示されるとき、連結線２５ａを他の連結線２５ｂ〜２５ｄよりも目立つ表示態様にする。
【００５９】
以上、ステップＳ２１からステップＳ２５までの処理によって２画面の表示が行われ、図６のステップＳ１６に移行する。
【００６０】
図２のステップＳ１６において、ガイド画面（行程ガイド画面）２２がスクロールされたか否かを判定する。スクロールされたときはステップＳ１７に移行する。スクロールされていないときは、２画面表示を継続する。すなわち、自車両の走行に伴って地図画面２１をスクロールしながら表示し、自車両の前方の施設がある地点を通過したときは、新たな施設がガイド画面２２に表示され、地図画面２１とガイド画面２２の同一の施設間の連結線も更新される。
【００６１】
次のステップＳ１７において、ガイド画面２２のスクロール量に従って、ガイド画面２２及び地図画面２１の調整を行う。
【００６２】
ここで、ガイド画面２２がスクロールされる際の２画面表示処理について図８を用いて詳細に説明する。
【００６３】
図８のステップＳ３１において、ガイド画面２２のスクロール量に応じて、ガイド画面２２を更新する。ガイド画面２２上にスクロールバーを設けてスクロールさせてもよいし、スクロールバーを設けずに直接画面上で指を滑らせるようにしてスクロールさせてもよい。
【００６４】
図８のステップＳ３２において、縮尺連動が選択されたか否かを判定する。縮尺連動は縮尺連動ボタン３２がタッチされたか否かによって判定するが、スクロールされる前に縮尺連動ボタン３２がタッチされたか否かの情報を制御部１２が取得しているものとする。縮尺連動が選択された場合はステップＳ３３に移行し、選択されない場合はステップＳ３４に移行する。
【００６５】
次のステップＳ３３において、ガイド画面２２の表示に応じて地図画面２１の表示を調整する。ステップＳ３１において、ガイド画面２２をスクロールした結果、表示される施設（地点）が更新される。この更新された施設及び自車位置が含まれるように地図画面２１の縮尺を変更する。自車位置及びガイド画面２２に表示されている施設を含む地図データをＤＶＤ‐ＲＯＭ１ａから抽出し、自車位置マークＣＭが地図画面２１の下辺近傍に表示され、ガイド画面２２に表示されている施設のうち、自車位置から最も離れている施設が地図画面２１の上辺近傍に表示されるように地図データの縮尺を調整して、地図画面２１に表示する。
【００６６】
次のステップＳ３５において、地図画面２１とガイド画面２２に表示される同一の施設間を連結線で接続する。ガイド画面２２に表示されている施設の連結線は図７のステップＳ２５と同様にして、自車両の位置に近いほうから遠いほうに目立たなくなるような態様で表示する。さらに、自車両とガイド画面２２に表示される自車両に一番近い施設との間の、スクロールによってガイド画面２２に表示されなくなった施設に対して連結線（ガイド画面外連結線と呼ぶ）を表示する（図３（ａ）の２５ａ〜２５ｄ参照）。このガイド画面外連結線は、ガイド画面２２に表示されている施設の連結線３５よりも目立たない態様で表示する。
【００６７】
一方、縮尺連動の指示がない場合、ステップＳ３４に移行し、地図画面２１を更新する。この地図画面２１は、スクロールされたガイド画面２２に表示されている地点が表示されるのに必要十分な縮尺に調整する。すなわち、ガイド画面２２に表示される地点のうち、自車両から一番近い地点が地図画面２１の下辺近傍に表示され、自車両から一番遠い地点が地図画面２１の上辺近傍に表示されるように地図画像データの縮尺を調整する。
【００６８】
その後、ステップＳ３５で連結線３５を生成する。また、縮尺連動の指示がない場合は、地図画面２１上にガイド画面２２に表示されなくなった地点が表示されなければ、ステップＳ３６において特に処理をする必要はなく、本処理を終了する。
【００６９】
以上、ステップＳ３１からステップＳ３６までの処理によってガイド画面２２のスクロール後の２画面表示が行われ、図６のステップＳ１８に移行する。
【００７０】
次のステップＳ１８において、自車両が高速道路から一般道路、又は一般道路から高速道路に走行路が変更されたか否かの判定を行う。走行路の変更がなければ、ステップＳ１９に移行し、走行路の変更があればステップＳ１３に移行し、走行路に応じた２画面表示処理を行う。
【００７１】
次のステップＳ１９において、２画面表示の解除指示があったか否かの判定を行い、解除指示があったときは本２画面表示処理を終了する。
【００７２】
ステップＳ１３において自車両が高速道路を走行していないと判定されたときは、ステップＳ１５に移行し、一般道路走行時の２画面生成処理を行う。
【００７３】
一般道路走行時の２画面生成処理は簡略ガイド画面の表示内容が行程ガイド画面の表示内容と異なる点を除いて基本的に図７の高速道路走行時の２画面生成処理と同様である。
【００７４】
図９のステップＳ４１において、自車位置より前方に存在する交差点等の案内ポイント（地点）を誘導経路記憶部１５及びＤＶＤ−ＲＯＭ１ａから抽出する。
【００７５】
次のステップＳ４２において、抽出した地点を特定する地点名称表示枠４２を車両位置から近い順に複数個（例えば４個）配置して簡略ガイド画面２２に表示する画像データを生成する。
【００７６】
次のステップＳ４３において、自車位置及び簡略ガイド画面２２に表示される地点が含まれ、かつ誘導経路４１が含まれる地図画像を誘導経路記憶部１５及びＤＶＤ−ＲＯＭ１ａから抽出する。
【００７７】
次のステップＳ４４において、地図画面を生成する。自車位置マークＣＭを地図画面２１の下辺近傍に固定し、地図画面２１の上辺に向って経路表示をするとき、自車位置から簡略ガイド画面２２に表示されている地点のうち自車両から一番遠い地点までの距離を地図から検出し（ｎとする）、地図画面２１の下辺から上辺までのサイズをｍとすると、ｍ／ｎの縮尺率になるようにして地図画面２１に表示する画像データを生成する。
【００７８】
次のステップＳ４５において、２画面のうち簡略ガイド画面２２を右側、地図画面２１を左側として２画面表示画像データを生成する。図７のステップＳ２５と同様に、この左右の画面において、同一の地点を連結線で結ぶ。
【００７９】
以上、ステップＳ４１からステップＳ４５までの処理によって一般道路走行時における２画面の表示が行われる。その後、図６のステップＳ１６に移行する。
【００８０】
以上説明したように、本実施形態の車載用ナビゲーション装置では、ガイド画面２２（簡略ガイド画面又は行程ガイド画面）と地図画面２１とを表示する２画面表示において、両画面に表示される同一の施設や交差点等の地点を連結線で接続している。この連結線は、自車両の位置に近いほど太くして目立つようにし、自車両から離れるに従って、薄くするなど目立たなくなるように表示態様を変えている。
【００８１】
また、自車位置からガイド画面２２に表示される地点までが地図画面２１に含まれるように地図画面２１の縮尺を調整している。さらに、ガイド画面２２をスクロールして自車位置から離れた地点の情報を表示する場合であっても、自車位置及びその地点が地図画面２１に含まれるように縮尺を調整している。これにより、自車位置から離れた地点の情報を把握するとともに、自車両からその地点までの位置関係を地図画面２１によって容易に把握することが可能になる。
【００８２】
なお、本実施形態では、ガイド画面２２をスクロールすることによって表示される地点が更新されたとき、地図画面２１もそれに連動して更新される場合について説明したが、地図画面２１の更新に従ってガイド画面２２が更新されるようにしてもよいことは勿論である。例えば、車両の走行に伴って地図画面２１に表示される地図画像は自動的にスクロールし、ガイド画面２２において通過した地点の表示は削除され、自車位置から進行方向に一番近い地点がガイド画面２２の一番下の地点名称表示枠内に表示するように更新される。この場合にも、地図画面２１とガイド画面２２に表示される同一の地点間は連結線で接続され、地図画面２１のスクロールに伴って連結線の表示も更新される。
【図面の簡単な説明】
【００８３】
【図１】本発明の一実施形態に係る車載用ナビゲーション装置の構成を示すブロック図である。
【図２】図１に係る車載用ナビゲーション装置における高速道路走行中の２画面表示による案内処理を説明する図（その１）である。
【図３】図１に係る車載用ナビゲーション装置における高速道路走行中の２画面表示による案内処理を説明する図（その２）である。
【図４】図１に係る車載用ナビゲーション装置における一般道路走行中の２画面表示による案内処理を説明する図（その１）である。
【図５】図１に係る車載用ナビゲーション装置における一般道路走行中の２画面表示による案内処理を説明する図（その２）である。
【図６】図１に係る車載用ナビゲーション装置における２画面表示処理の一例を示すフローチャートである。
【図７】図６のフローチャートにおける高速道路走行時の２画面生成処理の一例を示すフローチャートである。
【図８】図６のフローチャートにおける画面スクロール時の２画面生成処理の一例を示すフローチャートである。
【図９】図６のフローチャートにおける一般道路走行時の２画面生成処理の一例を示すフローチャートである。
【符号の説明】
【００８４】
１００…車載用ナビゲーション装置、
１ａ…ＤＶＤ−ＲＯＭ（記憶手段）、
２…操作部（情報入力手段）、
３…ＧＰＳ受信機（自車位置検出手段）、
４…自立航法センサ（自車位置検出手段）、
７…表示部（表示手段）、
１０…ナビゲーション装置本体、
１１…バッファメモリ（記憶手段）、
１２…制御部（制御手段）、
１５…誘導経路記憶部（記憶手段）、
２１…地図画面、
２２…簡略ガイド画面、
２５、３５、４３、５２…連結線。
【図１】
0005184189.tif 000002
【図２】
0005184189.tif 000003
【図３】
0005184189.tif 000004
【図４】
0005184189.tif 000005
【図５】
0005184189.tif 000006
【図６】
0005184189.tif 000007
【図７】
0005184189.tif 000008
【図８】
0005184189.tif 000009
【図９】
0005184189.tif 000010